(57)【要約】【課題】本発明は、積載された記録紙の収容状態の不良を検出できる給紙装置及びこの給紙装置を備える画像形成装置を提供することを目的とする。【解決手段】本発明の給紙装置４は、規定の収容方向で記録紙Ｐ１を積載する第１及び第２収容部４Ａ，４Ｂを記録紙搬送方向に沿って筐体４１内で並設させている。そして、記録紙搬送方向下流側の第１収容部４Ａに、第２収容部４Ｂに積載された記録紙束を移載可能に構成している。第１及び第２収容部４Ａ，４Ｂの間に非積載領域を有している。そして、非積載領域において、記録紙Ｐ１の積載の有無を検出する誤セット検出部４０６，４０７を設けている。誤セット検出部４０６，４０７が、規定の収容方向以外の方向で収容された記録紙Ｐ１を検出する。【選択図】図３
2016094272.tif 000002
【特許請求の範囲】
【請求項１】
規定の収容方向で記録紙を積載する第１及び第２収容部を記録紙搬送方向に沿って筐体内で並設させており、記録紙搬送方向下流側の前記第１収容部に前記第２収容部に積載された記録紙束を移載可能に構成した給紙装置において、
前記第１及び第２収容部の間となる非積載領域に、記録紙の積載の有無を検出する誤セット検出部を設けており、
前記誤セット検出部が、前記規定の収容方向以外の方向で収容された記録紙を検出することを特徴とする給紙装置。
【請求項２】
前記第１及び第２収容部に対する前記規定の収容方向を、前記記録紙短辺側を搬送方向と平行とする横送り方向とし、
前記非積載領域のうち、前記記録紙長辺側を搬送方向と平行とする縦送り方向に収容した前記記録紙を前記第１及び第２収容部それぞれに対して対角に配置した際に重なる誤セット領域に、前記誤セット検出部を配置したことを特徴とする請求項１に記載の給紙装置。
【請求項３】
前記誤セット検出部が、前記筐体底面に設けた第１誤セット検出部と、前記筐体側壁に設けた第２誤セット検出部とであって、
前記第１誤セット検出部を前記誤セット領域に設ける一方で、前記第２誤セット検出部を前記非積載領域に設けたことを特徴とする請求項２に記載の給紙装置。
【請求項４】
前記第１誤セット検出部が、前記第２誤セット検出部と連動可能に構成されるとともに、前記第２誤セット検出部に検出結果を出力するセンサースイッチを設けており、前記第１誤セット検出部で前記記録紙の収容不良を検出した場合に、前記第２誤セット検出部を連動させて前記センサースイッチより収容不良を表す信号を出力させることを特徴とする請求項３に記載の給紙装置。
【請求項５】
前記第１収容部が、前記記録紙が積載される昇降板と、該昇降板を昇降させるリフト機構とを備えており、
前記第２収容部が、積載された記録紙束を前記第１収容部の前記昇降板に向けて移送する移送板と、該移送板をスライドさせるスライド機構とを備えており、
前記リフト機構により前記昇降板を上昇させて、前記第１収容部に積載された前記記録紙を搬送可能とするとともに、
前記第１収容部に積載された記録紙が全て搬送された場合は、前記昇降板を前記リフト機構で下降させた後、前記スライド機構により前記移送板を前記昇降板に向けて移動させて、前記第２収容部に積載された記録紙束を前記第１収容部に移載させることを特徴とする請求項１〜３のいずれか一項に記載の給紙装置。
【請求項６】
請求項１〜５のいずれかに記載の給紙装置が挿抜可能であるとともに、前記給紙収納部に収納された記録紙を抜き出す給紙機構と、該給紙機構から抜き出した記録紙に画像を形成する画像形成部と、を備えることを特徴とする画像形成装置。
【発明の詳細な説明】
【技術分野】
【０００１】
本発明は、画像形成のための記録紙を保管する給紙装置及びこの給紙装置を備える画像形成装置に関する。
【背景技術】
【０００２】
従来より、画像形成装置は、画像形成のための記録紙を積載して保管する給紙装置を備えており、当該給紙装置は、保管する記録紙を補充できるように、画像形成装置本体に対して挿抜可能に構成されている。このような給紙装置において、可動式の底板上に記録紙を積載し、記録紙量に合わせて底板を昇降させて、大容量収容可能としたものが提案されている。又、記録紙に対して第１収容部と第２収容部とを並べて配置し、第１収容部の記録紙を消費すれば第２収容部の記録紙を一括して第１収容部へ移送する給紙装置も提供されている（特許文献１参照）。
【先行技術文献】
【特許文献】
【０００３】
【特許文献１】特開２００４−２６２６０６号公報
【発明の概要】
【発明が解決しようとする課題】
【０００４】
特許文献１に記載の給紙装置によれば、第１収容部の底板形状に合わせて、横送り方向（ＬＥＦ：Ｌｏｎｇ  Ｅｄｇｅ  Ｆｅｅｄ）の記録紙を積載することで、搬送方向に２束の記録紙束を並べて積載できるため、大容量収容可能とできる。しかしながら、縦送り方向（ＳＦＥ：Ｓｈｏｒｔ  Ｅｄｇｅ  Ｆｅｅｄ）等のように、底板形状と異なる収容方向（給紙装置内に載置された記録紙の向き）で記録紙を収容した場合、２束の記録紙束を収容できない。更には、記録紙が第１収容部の底板からはみ出すようにして積載されるため、底板を上昇させた場合に、第１収容部の記録紙束が崩れて、画像形成装置内へ給紙不能となる恐れがある。
【０００５】
このような問題を鑑みて、本発明は、積載された記録紙の収容状態の不良を検出できる給紙装置及びこの給紙装置を備える画像形成装置を提供することを目的とする。
【課題を解決するための手段】
【０００６】
上記目的を達成するために、本発明の給紙装置は、規定の収容方向で記録紙を積載する第１及び第２収容部を記録紙搬送方向に沿って筐体内で並設させており、記録紙搬送方向下流側の前記第１収容部に前記第２収容部に積載された記録紙束を移載可能に構成した給紙装置において、前記第１及び第２収容部の間となる非積載領域に、記録紙の積載の有無を検出する誤セット検出部を設けており、前記誤セット検出部が、前記規定の収容方向以外の方向で収容された記録紙を検出することを特徴とする。
【０００７】
このような給紙装置において、前記第１及び第２収容部に対する前記規定の収容方向を、前記記録紙短辺側を搬送方向と平行とする横送り方向とし、前記非積載領域のうち、前記記録紙長辺側を搬送方向と平行とする縦送り方向に収容した前記記録紙を前記第１及び第２収容部それぞれに対して対角に配置した際に重なる誤セット領域に、前記誤セット検出部を配置したものとしても構わない。
【０００８】
このとき、前記誤りセット検出部が、前記筐体底面に設けた第１誤セット検出部と、前記筐体側壁に設けた第２誤セット検出部とであって、前記第１誤セット検出部を前記誤りセット領域に設ける一方で、前記第２誤セット検出部を前記非積載領域に設けたものであっても構わない。
【０００９】
更に、前記第１誤セット検出部が、前記第２誤セット検出部と連動可能に構成されるとともに、前記第２誤セット検出部に検出結果を出力するセンサースイッチを設けており、前記第１誤セット検出部で前記記録紙の収容不良を検出した場合に、前記第２誤セット検出部を連動させて前記センサースイッチより収容不良を表す信号を出力させるものとしても構わない。
【００１０】
上述の給紙装置において、前記第１収容部が、前記記録紙が積載される昇降板と、該昇降板を昇降させるリフト機構とを備えており、前記第２収容部が、積載された記録紙束を前記第１収容部の前記昇降板に向けて移送する移送板と、該移送板をスライドさせるスライド機構とを備えており、前記リフト機構により前記昇降板を上昇させて、前記第１収容部に積載された前記記録紙を搬送可能とするとともに、前記第１収容部に記録紙が全て搬送された場合は、前記昇降板を前記リフト機構で下降させた後、前記スライド機構により前記移送板を前記昇降板に向けて移動させて、前記第２収容部に積載された記録紙束を前記第１収容部に移載させるものであっても構わない。
【００１１】
本発明の画像形成装置は、上述のいずれかの給紙装置が挿抜可能であるとともに、前記給紙収納部に収納された記録紙を抜き出す給紙機構と、該給紙機構から抜き出した記録紙に画像を形成する画像形成部と、を備えることを特徴とする。
【発明の効果】
【００１２】
本発明によると、２つの記録紙束を搬送方向に並べて大容量の記録紙を収容できる給紙装置において、記録紙の収容不良（誤積載）を確実に検出できる。従って、規定の収容方向以外の方向で記録紙を積載したことを検出でき、給紙装置内における記録紙の収容容量を最大に設定でき、記録紙の交換回数を低減できる。又、記録紙束の傾斜を検出することができるため、給紙装置からの記録紙の給紙不良を防止できる。更に、記録紙の収容方向の検出と記録紙束の傾斜の検出とを連動させて検出できるようにすることで、センサースイッチを単一で構成でき、部品数及び配線数の低減が図れる。
【図面の簡単な説明】
【００１３】
【図１】は、本発明の画像形成装置の外観斜視図である。
【図２】は、図１に示す画像形成装置の内部構成を示す概略構成図である。
【図３】は、本発明の実施形態における給紙装置の構成を示す前方から視た外観斜視図である。
【図４】は、図３の給紙装置の構成を示す後方から視た外観斜視図である。
【図５】は、図３の給紙装置の平面図である。
【図６】は、図３の給紙装置の背面図である。
【図７】は、図３の給紙装置の断面図である。
【図８】は、図３の給紙装置の概略断面図であり、（ａ）〜（ｆ）が、給紙装置における各部動作を示す。
【図９】は、非積載領域を説明するための給紙装置の平面図であり、（ａ）が、非積載領域を示し、（ｂ）が、誤セット領域を示す。
【図１０】は、傾斜検出センサーの構成を示す斜視図である。
【図１１】は、傾斜検出センサーの動作を示す平面図であって、（ａ）が、記録紙を正常に積載した場合の状態を示し、（ｂ）が、記録紙束に傾斜が生じた場合の状態を示す。
【図１２】は、給紙装置に積載された記録紙束に傾斜が生じた状態を示す断面図である。
【図１３】は、収容方向検出センサーの構成を示す斜視図である。
【図１４】は、傾斜検出センサーの動作を示す側面図であって、（ａ）が、記録紙を正常に積載した場合の状態を示し、（ｂ）が、記録紙を誤セット領域に積載した場合の状態を示す。
【図１５】は、移送板通過時における収容方向検出センサーの状態を示す側面図である。
【図１６】は、記録紙の収容不良（誤セット）を検出するセンサーの別例を示す外観斜視図である。
【図１７】は、記録紙が規定の収容方向で収容されていない場合のセンサーの状態を示す外観斜視図である。
【図１８】は、傾斜検出センサーの動作を示す平面図であって、（ａ）が、記録紙を正常に積載した場合の状態を示し、（ｂ）が、誤セット領域に記録紙を積載した場合の状態を示し、（ｃ）が、記録紙束に傾斜が生じた場合の状態を示す。
【発明を実施するための形態】
【００１４】
以下に、本願発明を具体化した実施形態を図面に基づいて説明する。なお、以下の説明で必要に応じて特定の方向や位置を示す用語（例えば「左右」「上下」等）を用いる場合は、図２で紙面に直交する方向を正面視とし、この方向を基準にしている。これらの用語は説明の便宜のために用いたものであり、本願発明の技術的範囲を限定するものではない。
【００１５】
＜画像形成装置の全体構成＞
本発明の実施形態における画像形成装置の全体構成について、図面を参照して説明する。図１は、本発明の画像形成装置の外観斜視図であり、図２は、当該画像形成装置の内部構成を示す概略図である。
【００１６】
図１及び図２に示すように、画像形成装置１は、原稿Ｐ２から画像を読み取る画像読取部３と、画像が形成される記録紙Ｐ１を収納する給紙装置４と、トナー画像を形成するとともに給紙装置４から給紙された記録紙Ｐ１にトナー画像を転写する転写部５と、転写部５で転写されたトナー画像を記録紙Ｐ１に定着させる定着部６と、定着部６で定着されて画像が形成された記録紙Ｐ１が排紙される排紙トレイ７と、画像形成装置１への操作を受け付ける操作パネル９と、を備える。この画像形成装置１において、その装置本体２上部に画像読取部３が設けられるとともに、この画像読取部３の下側に転写部５が設けられる。
【００１７】
そして、排紙トレイ７が、転写部５及び定着部６で画像記録されて排紙された記録紙Ｐ１を受けるために、装置本体２における転写部５の上側に設けられるとともに、給紙装置４が、装置本体２における転写部５の下側で挿抜可能に構成される。このように構成されることで、後述するように、給紙装置４に収納された記録紙Ｐ１が装置本体２内部に給紙された後、上昇搬送されることによって、給紙装置４の上部に配置された転写部５で画像が転写されて定着部６で定着された後、画像読取部３と転写部５との間の空間（凹みスペース）に設けられた排紙トレイ７に排紙される。
【００１８】
装置本体２上部に設けられる画像読取部３は、原稿Ｐ２からの画像を読み取るスキャナー部３１と、スキャナー部３１の上部に設けられるとともにスキャナー部３１に原稿Ｐ２を１枚ずつ搬送させる自動原稿搬送部（ＡＤＦ：Auto Document Feeder）３２とを備える。又、装置本体２の正面側（前面側）には、操作パネル９が設けられる。そして、ユーザーは、この操作パネル９の表示画面等を見ながらキー操作をすることで、画像形成装置１の各種機能の中から選択した機能について設定操作をしたり、画像形成装置１に作業実行を指示したりできる。
【００１９】
次に、図２を参照して、装置本体２の内部構造について説明する。装置本体２の上部にある画像読取部３のうちスキャナー部３１は、上面側にプラテンガラス（不図示）を有する原稿台３３と、原稿Ｐ２に対して光を照射する光源部３４と、原稿Ｐ２からの反射光を画像データに光電変換するイメージセンサー３５と、反射光をイメージセンサー３５上に結像させる結像レンズ３６と、原稿Ｐ２からの反射光を順次反射させて結像レンズ３６に入射させるミラー群３７とを備えている。光源部３４、イメージセンサー３５、結像レンズ３６及びミラー群３７は原稿台３３の内部に設けられるともに、光源部３４及びミラー群３７は原稿台３３に対して左右方向に移動可能に構成される。
【００２０】
又、スキャナー部３１の上面側には、ＡＤＦ３２が原稿台３３に対して開閉可能に設けられている。ＡＤＦ３２は、原稿台３３のプラテンガラス（不図示）上の原稿Ｐ２に覆い被さることによって原稿Ｐ２をプラテンガラス（不図示）に密着させる働きも有する。ＡＤＦ３２は、原稿載置トレイ３８と原稿排出トレイ３９とを備えている。
【００２１】
このような構成の画像読取部３において、原稿台３３のプラテンガラス（不図示）上の原稿Ｐ２を読み取る場合は、右方向（副走査方向）に移動する光源部３４から原稿Ｐ２に光が照射される。原稿Ｐ２から反射した反射光は、光源部３４と同じく右方向に移動するミラー群３７で順次反射されて結像レンズ３６に入射し、イメージセンサー３５上に結像される。イメージセンサー３５は、入射光の強さに応じて画素毎に光電変換を実行して、原稿Ｐ２の画像に対応した画像信号（ＲＧＢ信号）を生成する。
【００２２】
一方、原稿載置トレイ３８に載置された原稿Ｐ２を読み取る場合、当該原稿Ｐ２は複数のローラー等で構成される原稿搬送機構４０によって読取位置に搬送される。このとき、スキャナー部３１の光源部３４及びミラー群３７は、原稿台３３内部の所定位置に固定される。従って、光源部３４により原稿Ｐ２の読取位置部分に光が照射され、その反射光がスキャナー部３１のミラー群３７及び結像レンズ３６を介してイメージセンサー３５上に結像される。そして、イメージセンサー３５が原稿Ｐ２の画像に対応した画像信号（ＲＧＢ信号）に変換する。その後、原稿Ｐ２は原稿排出トレイ３９に排出される。
【００２３】
トナー画像を記録紙Ｐ１に転写する転写部５は、Ｙ（Yellow）、Ｍ（Magenta）、Ｃ（Cyan）、Ｋ（Key tone)各色のトナー画像を生成する作像部５１と、作像部５１それぞれの下方に設けられた露光部５２と、水平方向に並んだ各色の作像部５１と当接することで作像部５１から各色のトナー画像が転写される中間転写ベルト５３と、作像部５１と中間転写ベルト５３を挟持するように各色の作像部５１それぞれに対して上側に対向する位置に設けられた一次転写ローラー５４と、中間転写ベルト５３を回動させる駆動ローラー５５と、駆動ローラー５５の回転が中間転写ベルト５３を通じて伝達することで回転する従動ローラー５６と、中間転写ベルト５３を挟んで駆動ローラー５５と対向する位置に設置される二次転写ローラー５７と、中間転写ベルト５３を挟んで従動ローラー５６と対向する位置に設置されるクリーナー部５８とを、備える。
【００２４】
作像部５１は、中間転写ベルト５３の外周面と当接する感光体ドラム６１と、感光体ドラム６１の外周面をコロナ放電により帯電させる帯電器６２と、攪拌して帯電させたトナーを感光体ドラム６１の外周面に付着させる現像器６３と、トナー画像を中間転写ベルト５３に転写した後に感光体ドラム６１の外周面に残留するトナーを除去するクリーナー部６４と、を備える。このとき、感光体ドラム６１は、中間転写ベルト５３を挟んで、一次転写ローラー５４と対向する位置に設置されるとともに、図２における時計回りの方向に回転する。そして、感光体ドラム６１の周囲には、一次転写ローラー５４、クリーナー部６４、帯電器６２、露光部５２、及び現像器６３が、感光体ドラム６１の回転方向に沿って、順番に配置されている。
【００２５】
又、中間転写ベルト５３は、例えば導電性を有する無端状のベルト部材から構成され、駆動ローラー５５及び従動ローラー５６に緩みの無い状態で巻き掛けられることで、駆動ローラー５５の回転に従って、図２において反時計回りの方向に回動する。そして、中間転写ベルト５３の周囲には、中間転写ベルト５３の回転方向に沿って、二次転写ローラー５７、クリーナー部５８、ＹＭＣＫ各色の作像部５１それぞれが順番に配置されている。
【００２６】
更に、記録紙Ｐ１に転写されたトナー画像を定着させる定着部６は、記録紙Ｐ１上のトナー画像を定着させるべく加熱する加熱器５９と、記録紙Ｐ１を加熱器５９と共に挟持して記録紙Ｐ１を加圧する加圧器６０とを備える。
【００２７】
給紙機構８は、給紙装置４に収納された記録紙Ｐ１を最上層から繰り出す繰り出しローラー８１と、繰り出された記録紙Ｐ１を１枚ずつに分離する給紙ローラー８２及び捌きローラー８３による分離ローラー対と、を備える。各給紙装置４内の記録紙Ｐ１は、対応する繰り出しローラー８１、給紙ローラー８２及び捌きローラー８３の回転駆動によって、最上層のものから１枚ずつ、主搬送路Ｒ０に向けて送り出される。主搬送路Ｒ０は画像形成（印刷）の工程を経る記録紙Ｐ１の主たる通り道である。主搬送路Ｒ０のうち、加熱器５９及び加圧器６０による定着部６よりも下流側には、印刷済の記録紙Ｐ１を排出する排紙ローラー対９１が配置されている。印刷済の記録紙Ｐ１は、排紙ローラー対９１の回転駆動によって排紙トレイ７に排出される。
【００２８】
又、このように各部が構成される画像形成装置１の装置本体２内には、更に、片面印刷後の記録紙Ｐ１を表裏反転させて両面印刷するための循環搬送部９２が設けられている。循環搬送部９２は、片面印刷後の記録紙Ｐ１を表裏反転させる反転ローラー対と、複数組の両面搬送ローラー対とを備えている。循環搬送部９２では、片面印刷後の記録紙Ｐ１を表裏反転させ、循環搬送路Ｒ３を介して再び主搬送路Ｒ０まで搬送させる。この場合、排紙ローラー対９１を正逆回転可能に構成することによって、排紙ローラー対９１に反転ローラー対の機能を兼用させている。排紙ローラー対９１の正逆回転によって、記録紙Ｐ１を画像形成装置１外に排出したり、スイッチバック（逆送）して画像形成装置１内に戻したりできる。循環搬送路Ｒ３の上流側は、主搬送路Ｒ０のうち定着部６と排紙ローラー対９１との間から分岐している。循環搬送路Ｒ３の下流側は、転写部５の上流側に合流している。
【００２９】
画像形成装置１による印刷動作を簡単に説明する。画像形成装置１は、開始信号や画像信号等を受信して印刷動作を開始する。印刷動作が開始すると、給紙機構８により給紙装置４から繰り出された記録紙Ｐ１が、主搬送路Ｒ０に沿って画像形成部５に搬送される。転写部５及び定着部６はそれぞれ、カラー電子写真方式に基づく記録紙Ｐ１への画像の転写及び定着を行うとともに、記録紙Ｐ１への画像転写方式として、中間ベルト５３を利用した中間転写方式を採用する。
【００３０】
このとき、転写部５において、Ｙ、Ｍ、Ｃ、Ｋ各色の作像部５１では、帯電器６２によって帯電させた感光体ドラム６１の表面に露光部５２からレーザー光が照射され、Ｙ、Ｍ、Ｃ、Ｋ各色の画像に対応した静電潜像が形成される。この静電潜像が形成された感光体ドラム６１の表面に、現像器６３で帯電したトナーが移り、感光体ドラム６１にトナー画像が形成される。そして、感光体ドラム６１の表面に担持されたトナー画像が、中間転写ベルト５３と接触する際、一次転写ローラー５４の静電気力によって、中間転写ベルト５３に転写されるため、中間転写ベルト５３の表面に、Ｙ、Ｍ、Ｃ、Ｋ各色が重なったトナー画像が形成される。一方、トナー画像を中間転写ベルト５３に転写した感光体ドラム６１に残った未転写トナーは、クリーナー部６４にて掻き取られ、感光体ドラム６１上から取り除かれる。
【００３１】
中間転写ベルト５３に転写されたトナー画像は、駆動ローラー５５及び従動ローラー５６によって中間転写ベルト５３が回転することで、二次転写ローラー５７と当接する転写位置まで移動し、主搬送路Ｒ０上の転写位置まで搬送される記録紙Ｐ１に転写される。トナー画像を記録紙Ｐ１に転写した中間転写ベルト５３に残った未転写トナーは、クリーナー部５８にて掻き取られ、中間転写ベルト５３上から取り除かれる。又、二次転写ローラー５７との当接位置でトナー画像が転写された記録紙Ｐ１は、加熱器５９及び加圧器６０による定着部６に搬送される。
【００３２】
片面に未定着トナー像を載せた記録紙Ｐ１は、定着部６の定着位置を通過する際に、加熱器５９による加熱及び加圧器６０による加圧が施されて、未定着トナー像が紙面に定着される。そして、片面印刷の場合、トナー像定着後（片面印刷後）の記録紙Ｐ１は、排紙ローラー対９１により排紙トレイ７に排出される。一方、両面印刷の場合は、片面印刷後の記録紙Ｐ１を両面印刷用の循環搬送路Ｒ３に搬送して裏返しにし、再び主搬送路Ｒ０に戻すことによって、転写部５及び定着部６それぞれを通過する記録紙Ｐ１の他面にトナー像を転写及び定着させた後、排紙トレイ７に排出することとなる。
【００３３】
＜給紙装置の構成＞
上述の画像形成装置１に装備される給紙装置４の構成について、以下に説明する。図３及び図４は、給紙装置４の構成を示す外観斜視図であり、図５は、給紙装置４の構成を示す平面図であり、図６は、給紙装置４の構成を示す背面図であり、図７は、給紙装置４の構成を示す断面図である。
【００３４】
図３〜図７に示すように、給紙装置４は、画像形成装置１に対して挿抜する筐体４１を備えており、筐体４１内に、記録紙Ｐ１を搬送方向に対して横送り方向（ＬＥＦ：Ｌｏｎｇ  Ｅｄｇｅ  Ｆｅｅｄ）に収容している第１及び第２収容部４Ａ，４Ｂを、記録紙Ｐ１搬送方向に沿って並置している。筐体４１は、底板外周を取り囲む枠体を底板上面から立設させた形状を有しており、枠体前面に取っ手部４１Ａが設けられ、枠体後面に画像形成装置１内における不図示のレールに係合させる滑車部４１Ｂが設けられている。
【００３５】
第１収容部４Ａは、記録紙Ｐ１が載置させる底板であり筐体４１内に対して上下に昇降する昇降板４２と、昇降時の昇降板４２の姿勢を水平に安定させる左右ガイド溝４３１，４３２を備えた前後規制板４３，４３と、前後規制板４３，４３の前後に設けられて昇降板４２を昇降させるリフト機構４４と、筐体４１を構成する枠体の左側（搬送方向上流側）側壁４１Ｌとで構成されている。
【００３６】
第２収容部４Ｂは、筐体４１の底板に突設させたレール４５，４５と、左右方向に延設されたレール４５，４５に係止させて左右に移動する移送板４６と、移送板４６と連結した移動用ベルト４７１を備えたスライド機構４７と、記録紙Ｐ１の前後方向（搬送方向に対して垂直な方向）両縁を規制する前後規制部４８，４８と、筐体４１を構成する枠体の右側（搬送方向下流側）側壁４１Ｒと、スライド機構４７を覆うカバー体４９と、筐体４１の底板上に設けられるとともに筐体４１の左側前後に配置された載置台５０，５０で構成されている。
【００３７】
昇降板４２は、リフト機構４４のワイヤー４４１，４４２を掛止する掛止部４２１，４２２を、昇降板４２の前後縁それぞれ２箇所で突設させている。昇降板４２の前縁２箇所の左右掛止部４２１，４２２それぞれが、前規制板４３の左右ガイド溝４３１，４３２に挿入され、昇降板４２の後縁２箇所の左右掛止部４２１，４２２それぞれが、後規制板４３の左右ガイド溝４３１，４３２に挿入されている。
【００３８】
前後リフト機構４４はそれぞれ、昇降板４２前後縁それぞれ２箇所に設けられた左右掛止部４２１，４２２と一端を連結させた２本のワイヤー４４１，４４２と、ワイヤー４４１，４４２両方の他端と連結させた巻き取りプーリー４４３と、ワイヤー４４１を張架する従動プーリー４４４と、ワイヤー４４１，４４２を張架する従動プーリー４４５とを具備する。従動プーリー４４４，４４５はそれぞれ、左右掛止部４２１，４２２それぞれの直上に位置している。
【００３９】
ワイヤー４４１は、規制板４３の左ガイド溝４３１に挿嵌させている左掛止部４２１に一端を連結しており、従動プーリー４４４に巻回された後、巻き取りプーリー４４３と他端を連結する。一方、ワイヤー４４２は、規制板４３の右ガイド溝４３２に挿嵌させている右掛止部４２２に一端を連結しており、従動プーリー４４５，４４４に順に巻回された後、巻き取りプーリー４４３と連結する。昇降板４２は、前後リフト機構４４のワイヤー４４１，４４２により４点で吊下支持されており、昇降時に水平を維持できる。又、リフト機構４４が、昇降板４２を筐体４１の底側に降下させているとき、昇降板４２の上面は、カバー体４９及び載置台５０，５０それぞれの上面と面一になる。
【００４０】
後方のリフト機構４４における巻き取りプーリー４４３には、アイドルギヤ４４６、ダンパー４４７、及び継ぎ手４４８が設けられている。画像形成装置１に給紙装置４を収納したとき、継ぎ手４４８が、画像形成装置１に設けられたモーター（不図示）に設けられた装置側継ぎ手（不図示）と連結する。画像形成装置１内のモーター（不図示）の回転駆動力は、装置側継ぎ手（不図示）と継ぎ手４４８の連結により、アイドルギヤ４４６を介して巻き取りプーリー４４３に伝達される。不図示のモーターの回転は、巻き取りプーリー４４３にワイヤー４４１，４４２を巻き取らせる向き、即ち、昇降板４２を引き上げる向きの回転である。
【００４１】
アイドルギヤ４４６及びダンパー４４７は、巻き取りプーリー４４３の回転に対する制動力を発生する。このアイドルギヤ４４６及びダンパー４４７は、巻き取りプーリー４４３の巻き出し方向（昇降板４２を下降させる向き）の回転にのみ制動力を作用させ、巻き取り方向（昇降板４２を引き上げる向き）の回転には、制動力を及ぼさないものであることが望ましい。尚、制動装置であるダンパー４４７としては、公知のオイルダンパー等が使用可能である。
【００４２】
移送板４６は、前後の載置台５０，５０の間に嵌合している基端部４６１と、基端部４６１から上方に立設させた記録紙押動部４６２とを備えている。基端部４６１は、前後の載置台５０，５０間で左右に延設された２本のレール４５，４５に係合するレール係合部４６３，４６３を前後に設けており、前後の係合部４６３，４６３の間に移動用ベルト４７１と連結するベルト連結部４６４を備える。又、レール４５は、前後の載置台５０，５０間で、右側側壁４１Ｒから左方向に延びるようにして、筐体４１の底板から突設されている。
【００４３】
スライド機構４７は、前後に設けた２本のレール４５，４５の間で、右側側壁４１Ｒから左方向に延設されている。スライド機構４７は、移送板４６のベルト連結部４６４と連結する移送用ベルト４７１と、昇降板４２の下側に配置されて移送用ベルト４７１を回動させる駆動プーリー４７２と、右側側壁４１Ｒ側に配置される従動プーリー４７３と、駆動プーリー４７２と同軸となるベルト回転用ギヤ４７４と、回転用ギヤ４７４に噛合した継ぎ手４７５とを備える。筐体４１の底板の前後中央で左右に延びるように掘設された溝に、移送用ベルト４７１下側を埋設している。
【００４４】
後規制板４３後方に、ベルト回転用ギヤ４７４と継ぎ手４７５とを設けている。画像形成装置１に給紙装置４を収納したとき、継ぎ手４７５が、画像形成装置１に設けられたモーター（不図示）に設けられた装置側継ぎ手（不図示）と連結する。画像形成装置１内のモーター（不図示）の回転駆動力は、装置側継ぎ手（不図示）と継ぎ手４７５の連結により、ベルト回転用ギヤ４７４を介して駆動プーリー４７２に伝達される。
【００４５】
カバー体４９上面と前後載置台５０，５０上面とを面一に構成することで、第２収容部４Ｂに記録紙Ｐ１を水平に収容できる。又、係合部４６３，４６３をレール４５，４５に係合させるとともに、前後載置台５０，５０間に基端部４６１を配置することで、左右移動時における移送板４６の前後方向のズレを防止できる。一方、カバー体４９が、レール４５，４５と、スライド機構４７の移送用ベルト４７１及び従動プーリー４７３と、移送板４６のベルト連結部４６４を覆うことにより、左右移動時における移送板４６の上下方向のズレを防止できる。
【００４６】
給紙装置４は、第１収容部４Ａにおいて、昇降板４２が上限位置に到達しているか否かを検知する上限検出センサー４０１と、下限位置における昇降板４２への記録紙Ｐ１の搭載の有無を検知する記録紙検出センサー４０２と、移送板４６が昇降板４２右縁近傍の移載位置に到達したか否かを検知する移送板検出センサー４０３とを備える。又、給紙装置４は、第２収容部４Ｂにおいて、第２収容部４Ｂでの記録紙Ｐ１の搭載の有無を検知する記録紙検出センサー４０４と、収容される記録紙Ｐ１の積載量を検出する積載量検出センサー４０５とを備える。
【００４７】
上限検出センサー４０１は、筐体４１の後方側壁に設けられており、例えば、受発光素子による光学センサーで構成し、左右掛止部４２１，４２２のいずれか一方に設けた遮光板で発光素子からの光が遮光されたときに、昇降板４２が上限位置に到達したことを検知する。記録紙検出センサー４０２は、例えば、下限位置における昇降板４２の開口部４２３から突出させた記録紙検出部（フィラー）を揺動可能に配置した接触式センサーで構成しており、昇降板４２が下限位置にあるときに、昇降板４２上に記録紙Ｐ１を搭載しているか否かを検知する。移送板検出センサー４０３は、例えば、受発光素子による光学センサーで構成し、移送板４６の基端部４６１により遮光されたときに、移送板４６の記録紙押動部４６２が昇降板４７の右縁近傍に到達したことを検知する。
【００４８】
記録紙検出センサー４０４は、例えば、上下動する記録紙検知部を備えた接触式センサーで構成し、記録紙Ｐ１の収容がない場合に記録紙検知部を載置台５０上面より突出させている。記録紙検出センサー４０４は、積載された記録紙Ｐ１に押圧されて記録紙検知部が載置台５０下側に降下したときに、記録紙Ｐ１が収容されたものと検知する。積載量検出センサー４０５は、例えば、記録紙検出センサー４０４と同様の接触式センサーで構成し、筐体４１の規制部４８より記録紙検知部を突出させている。積載量検出センサー４０５は、記録紙Ｐ１の積載量が設置位置よりも下側となった場合に、記録紙検知部が第２収容部４Ｂ内に突出して、記録紙Ｐ１の積載量が少量であるものと検知する。
【００４９】
給紙装置４における記録紙Ｐ１の移送動作について、図８（ａ）〜（ｆ）を参照して、以下に説明する。図８（ａ）に示すように、給紙装置４の第１及び第２収容部４Ａに記録紙Ｐ１が積載されている。尚、以下では、第１収容部４Ａにおける記録紙Ｐ１の積載束を記録紙束Ｐ１１とし、第２収容部４Ｂにおける記録紙Ｐ１の積載束を記録紙束Ｐ１２とする。第１収容部４Ａに記録紙束Ｐ１１が積載されているとき、リフト機構４４によって昇降板４２を上昇させ、最上位置の記録紙Ｐ１を繰り出しローラー８１に圧接させる。従って、記録紙束Ｐ１１の最上の記録紙Ｐ１が繰り出しローラー８１により繰り出され、給紙ローラー８２及び捌きローラー８３により１枚ずつ搬送される。
【００５０】
第１収容部４Ａにおける記録紙束Ｐ１１の記録紙Ｐ１が全て画像形成装置１内に搬送されると、図８（ｂ）に示すように、リフト機構４４による昇降板４２の上昇を停止して、昇降板４２を自重で下降させる。そして、昇降板４２が第１収容部４Ａの下限位置まで下降すること、図８（ｃ）に示すように、スライド機構４７によって移送板４６を第１収容部４Ａに向かって（左方向に）水平移動させる。従って、図８（ｄ）に示すように、第２収容部４Ｂにおける記録紙束Ｐ１２が、移送板４６の記録紙押動部４６２により第１収容部４Ａに向かって押し出されて、第１収容部４Ａの昇降板４２上に一括して移送される。
【００５１】
移送板４６が昇降板４２の右縁に到達して、第２収容部４Ｂにおける記録紙束Ｐ１２が昇降板４２上に積載されると、図８（ｅ）に示すように、スライド機構４７によって移送板４６を筐体４１の右側側壁４１Ｒに向かって（右方向に）水平移動させる。移送板４６が右側側壁４１Ｒに当接すると、移送板４６が停止し、図８（ｆ）に示すように、第２収容部４Ｂに記録紙Ｐ１が積載可能な状態となる。一方、第１収容部４Ａでは、リフト機構４４によって昇降板４２を上昇させ、記録紙束Ｐ１２最上の記録紙Ｐ１を繰り出しローラー８１に圧接させる。
【００５２】
給紙装置４は、図９（ａ）に示すように、筐体４１内の第１及び第２収容部４Ａ，４Ｂそれぞれに対して、記録紙Ｐ１を横送り方向（ＬＥＦ）に積載するように構成している。即ち、第１収容部４Ａ上の記録紙束Ｐ１１が、記録紙Ｐ１の長辺を筐体４１の左側側壁４１Ｌに対向させるように載置されており、第２収容部４Ｂ上の記録紙束Ｐ１２が、記録紙Ｐ１の長辺を筐体４１の右側側壁４１Ｒに対向させるように載置されている。このように第１及び第２収容部４Ａ，４Ｂそれぞれに記録紙Ｐ１を横送り方向で載置しているとき、筐体４１内には、記録紙Ｐ１と重ならない領域（非積載領域）Ｒ１を第１及び第２収容部４Ａ，４Ｂの間に有する。
【００５３】
この給紙装置４に対して、記録紙Ｐ１を規定の収容方向である横送り方向（ＬＥＦ）でなく縦送り方向（ＳＥＦ：Ｓｈｏｒｔ  Ｅｄｇｅ  Ｆｅｅｄ）で収容した場合、図９（ｂ）に示すように、非積載領域Ｒ１上に記録紙Ｐ１が積載されることとなる。即ち、給紙装置４に対して記録紙Ｐ１を縦送り方向（ＳＥＦ）で収容した場合、図７に示すように、非積載領域Ｒ１の内側の領域（誤セット領域）Ｒ２に必ず記録紙Ｐ１が積載される。誤セット領域Ｒ２は、縦送り方向に収容した記録紙Ｐ１を第１及び第２収容部４Ａ，４Ｂそれぞれに対して対角に配置した際に重なる領域である。
【００５４】
誤セット領域Ｒ２は、規定の収容方向で記録紙Ｐ１を積載したときに積載されることのない領域であって、規定の収容方向と交差する方向（誤セット方向）で記録紙Ｐ１積載したときに必ず積載される領域となる。即ち、誤セット領域Ｒ２は、規定の収容方向で第１収容部４Ａに積載された記録紙Ｐ１右縁と、規定の収容方向で第２収容部４Ｂに積載された記録紙Ｐ１の左縁と、誤セット方向で筐体４１の前側（前規制板４３又は前規制部４８寄り）に収容した記録紙Ｐ１の後縁と、誤セット方向で筐体４１の後側（後規制板４３又は後規制部４８寄り）に収容した記録紙Ｐ１の前縁とで囲まれた領域である。
【００５５】
給紙装置４は、記録紙Ｐ１の収容不良（誤積載）を検出するべく、非積載領域Ｒ１において、第１及び第２収容部４Ａ，４Ｂに積載された記録紙束Ｐ１１，Ｐ１２のいずれかにおける傾斜発生の有無を検知する傾斜検出センサー（第２誤セット検出部）４０６と、記録紙Ｐ１の収容方向が正常であるか否かを検知する収容方向検出センサー（第１誤セット検出部）４０７とを設けている。傾斜検出センサー４０６は、第１収容部４Ａの規制部４８に軸支されており、傾斜した記録紙Ｐ１と当接する記録紙検知部６０１を、規制板４３の右縁と平行になるように、上下に延設している。収容方向検出センサー４０７は、記録紙Ｐ１による積載の有無を検知する記録紙検知部７０１を、筐体４１底側の誤セット領域Ｒ２に設けている。
【００５６】
傾斜検出センサー４０６は、図１０に示すように、規制板４３と規制部４８との間に設けられて先端を筐体４１内部に突出させた記録紙検知部６０１と、記録紙検知部６０１を回動させるべく規制部４８に軸支された上下方向の回転軸６０２と、回転軸６０２を中心として記録紙検知部６０１と逆側に設けられた遮光板６０３と、受発光素子の間に遮光板６０３を通過させるように規制部４８内に固定された光学式スイッチ（透過センサー）６０４とを備える。
【００５７】
第１及び第２収容部４Ａ，４Ｂそれぞれでの記録紙束Ｐ１１，Ｐ１２に傾斜がない場合は、図１１（ａ）に示すように、記録紙検知部６０１に記録紙Ｐ１の当接がないため、記録紙検知部６０１先端が筐体４１内部に突出した状態となる。このとき、光学式スイッチ６０４から外れた位置に遮光板６０３が位置するため、光学式スイッチ６０４で受発光動作が行われて、光学式スイッチ６０４からＯＮ信号が出力される。即ち、傾斜検出センサー４０６の光学式スイッチ６０４がＯＮ信号を出力した場合、画像形成装置１は、記録紙束Ｐ１１，Ｐ１２のいずれも正常に積載されているものと判定する。
【００５８】
一方、例えば、図１２に示すように、記録紙束Ｐ１１，Ｐ１２のいずれかに傾斜がある場合（図１２では、記録紙束Ｐ１１に傾斜がある例を示す）、記録紙検知部６０１に記録紙Ｐ１が当接して、記録紙検知部６０１を筐体４１外側に押動する。このとき、図１１（ｂ）に示すように、記録紙検知部６０１が回転軸６０２を中心として回動するため、記録紙検知部６０１と一体となる遮光板６０３も同時に回動して、光学式スイッチ６０４と重なる。従って、光学式スイッチ６０４と重なる位置に遮光板６０３が位置することとなり、光学式スイッチ６０４で受発光動作が遮断されて、光学式スイッチ６０４からＯＦＦ信号が出力される。即ち、傾斜検出センサー４０６の光学式スイッチ６０４がＯＦＦ信号を出力した場合、画像形成装置１は、記録紙束Ｐ１１，Ｐ１２のいずれかが傾斜しているもの（記録紙誤セット）と判定する。
【００５９】
収容方向検出センサー４０７は、図１３に示すように、カバー体４９表面から突出させた記録紙検知部７０１と、カバー体４９下側で軸支されて記録紙検知部７０１を揺動可能とする回転軸７０２と、記録紙検知部７０１の揺動によりＯＮ／ＯＦＦするスイッチ７０３とを備える。本実施形態においては、スイッチ７０３として、回転軸７０２と連動する遮光板７０４を受発光素子間に通過させる光学式スイッチを例に挙げて、説明する。尚、スイッチ７０３は、光学式スイッチ以外に、回転軸７０２と連動する押動部材を設け、押動部材との接触によりＯＮ／ＯＦＦする接触式スイッチとしてもよい。
【００６０】
第１及び第２収容部４Ａ，４Ｂそれぞれに記録紙束Ｐ１１，Ｐ１２を横送り方向に収容した場合は、非積載領域Ｒ１に記録紙Ｐ１が積載されることがないため、図１４（ａ）に示すように、記録紙検知部７０１がカバー体４９下側に押下されることがない。このとき、光学式スイッチ７０３から外れた位置に遮光板７０４が位置するため、光学式スイッチ７０３で受発光動作が行われて、光学式スイッチ７０３からＯＮ信号が出力される。即ち、収容方向検出センサー４０７の光学式スイッチ７０３がＯＮ信号を出力した場合、画像形成装置１は、記録紙束Ｐ１１，Ｐ１２のいずれも正常に積載されているものと判定する。
【００６１】
一方、給紙装置４において記録紙Ｐ１を、例えば、縦送り方向等のように横送り方向以外の方向で収容した場合、非積載領域Ｒ１に記録紙Ｐ１が積載されることとなるため、図１４（ｂ）に示すように、記録紙検知部７０１がカバー体４９下側に押下される。このとき、図１４（ｂ）に示すように、記録紙検知部７０１が回転軸７０２を中心として回動するため、記録紙検知部７０１と一体となる遮光板７０４も同時に回動して、光学式スイッチ７０３と重なる。従って、光学式スイッチ７０３と重なる位置に遮光板７０４が位置することとなり、光学式スイッチ７０３で受発光動作が遮断されて、光学式スイッチ７０３からＯＦＦ信号が出力される。即ち、収容方向検出センサー４０７の光学式スイッチ７０３がＯＦＦ信号を出力した場合、画像形成装置１は、給紙装置４内の記録紙Ｐ１の収容方向が規定方向ではないもの（記録紙誤セット）と判定する。
【００６２】
収容方向検出センサー４０７は、スライド機構４７前後であってスライド機構４７と重ならない位置に設置される。又、移送板４６は、記録紙Ｐ１による記録紙束を第１収容部４Ａの昇降板４２に移送する際、スライド機構４７上を通過する。このとき、記録紙検知部７０１が、移送板４６の基端部４６１及び記録紙Ｐ１により押下されるが、画像形成装置１では、記録紙Ｐ１の移送実行中において、収容方向検出センサー４０７からの信号を無効であるものと判定（キャンセル）する。
【００６３】
又、図１５に示すように、収容方向検出センサー４０７は、スイッチ７０３の固定位置と記録紙検知部７０１の軸支位置を、筐体４１の底板側に配置し、記録紙Ｐ１移送時に移送板４６が収容方向検出センサー４０７上を通過する際、移送板４６の基端部４６１との干渉を防いでいる。更に、記録紙検知部７０１が、記録紙Ｐ１移送時において、記録紙Ｐ１の移動方向に揺動するよう軸支されるため、収容方向検出センサー４０７が記録紙Ｐ１の移動を妨げることがなく、移送板４６による移送動作を円滑に実行できる。
【００６４】
＜収容方向検出センサーの別構成例＞
上述の実施形態において、傾斜検出センサー（第２誤セット検出部）４０６と収容方向検出センサー（第１誤セット検出部）４０７とを別体のセンサーとして説明したが、以下で説明する構成例では、センサースイッチを傾斜検出センサー４０６のみに具備させて、収容方向検出センサー４０７の代わりに、傾斜検出センサー４０６と協働する収容方向検出部４０８を設けた構成している。図１６は、本例における収容方向検出部（第１誤セット検出部）と傾斜検出センサー（第２誤セット検出部）の構成を示す外観斜視図である。
【００６５】
本例における収容方向検出部４０８は、カバー体４９表面から突出させた記録紙検知部８０１と、記録紙検知部８０１の回転軸としてカバー体４９下側で軸支されるとともに傾斜検出センサー４０６まで延設された連動軸８０２と、連動軸８０２と連結して回動することで傾斜検出センサー４０６を押動させる押動部８０３とを備える。即ち、収容方向検出部４０８は、前後方向に延設された連動軸８０２の一端に記録紙検知部８０１を設ける一方で、連動軸８０２の他端に押動部８０３を設ける。このように構成することで、収容方向検出部４０８と共に傾斜検出センサー４０６を連動させることができる。一方、収容方向検出部４０８は、傾斜検出センサー４０６の回動に連動することがなく、傾斜検出センサー４０６を単独で動作させることも可能である。
【００６６】
収容方向検出部４０８は、記録紙検知部８０１の揺動に応じて押動部８０３を回動させて、押動部８０３を傾斜検出センサー４０６の記録紙検知部６０１先端に当接させることで、傾斜検出センサー４０６を回動させる。即ち、記録紙Ｐ１が規定の収容方向（横送り方向）と異なる方向で収容された場合、記録紙Ｐ１が記録紙検知部８０１に接触するため、収容方向検出部４０８が、連動軸８０２を中心に回動する。これにより、図１７に示すように、収容方向検出部４０８では、記録紙検知部８０１の揺動と共に押動部８０３が傾倒する。そのため、傾斜検出センサー４０６は、収容方向検出部４０８の押動部８０３により記録紙検知部６０１が回動される。従って、光学式スイッチ６０４と重なる位置に遮光板６０３を移動させて、光学式スイッチ６０４よりＯＦＦ信号を出力させる。
【００６７】
第１及び第２収容部４Ａ，４Ｂそれぞれに記録紙束Ｐ１１，Ｐ１２を横送り方向に収容した場合は、図１６に示すように、記録紙検知部８０１がカバー体４９下側に押下されることがないため、収容方向検出部４０８が回動することがない。このとき、記録紙束Ｐ１１，Ｐ１２のいずれにも傾斜がなかった場合、図１８（ａ）に示すように、傾斜検出センサー４０６における遮光板６０３が光学式スイッチ６０４と重ならず、光学式スイッチ６０４からＯＮ信号が出力される。従って、画像形成装置１は、給紙装置４の第１及び第２収容部４Ａ，４Ｂそれぞれにおいて、記録紙Ｐ１が横送り方向で傾斜なく収容されているものと判定する。
【００６８】
一方、給紙装置４において記録紙Ｐ１を、例えば、縦送り方向等のように横送り方向以外の方向で収容した場合、図１５に示すように、記録紙検知部７０１がカバー体４９下側に押下されるため、収容方向検出部４０８が回動する。これにより、図１８（ｂ）に示すように、収容方向検出部４０８の押動部８０３により、傾斜検出センサー４０６の記録紙検知部６０１先端右側が押されて、傾斜検出センサー４０６が回動する。従って、傾斜検出センサー４０６における遮光板６０３が光学式スイッチ６０４と重なって、光学式スイッチ６０４からＯＦＦ信号が出力される。
【００６９】
又、第１及び第２収容部４Ａ，４Ｂそれぞれに積載された記録紙束Ｐ１１，Ｐ１２のいずれかに傾斜がある場合、傾斜検出センサー４０６の記録紙検知部６０１先端前側に記録紙Ｐ１が当接して、記録紙検知部６０１を筐体４１外側に押し回す。これにより、図１８（ｃ）に示すように、傾斜検出センサー４０６が回動するため、傾斜検出センサー４０６における遮光板６０３が光学式スイッチ６０４と重なって、光学式スイッチ６０４からＯＦＦ信号が出力される。
【００７０】
このように、記録紙Ｐ１の収容方向が規定方向と異なる場合や、記録紙Ｐ１が傾斜して積載されている場合に、傾斜検出センサー４０６の光学式スイッチ６０４からＯＦＦ信号が出力される。従って、画像形成装置１は、給紙装置４における記録紙Ｐ１の収容状態に不具合があるものと判定し、例えば、操作パネル９などに、給紙装置４への記録紙Ｐ１の再収容を求める表示などを実行し、ユーザーに記録紙Ｐ１の収容状態に異常（記録紙誤セット）があることを報知できる。
【００７１】
本例では、上述したように、傾斜検出センサー４０６と収容方向検出部４０８とを協動させる構成とすることで、センサースイッチを傾斜検出センサー４０６のみに設ける構造とできる。従って、給紙装置４におけるセンサーの数を低減できるだけでなく、センサーの信号線等の配線数も抑制でき、装置内の空間を効果的に構成できる。
【００７２】
尚、本願発明における画像形成装置として、電子写真方式による画像形成装置を例に挙げて説明したが、上述の各実施形態における、給紙装置及び給紙機構のそれぞれを備えるものであれば、電子写真方式に限られず、インクジェット方式など、他の方式による画像形成装置であっても構わない。又、本願発明における画像形成装置として、上述の各実施形態における、給紙装置及び給紙機構のそれぞれを備えるものであれば、コピー機能、スキャナー機能、プリンター機能、ファックス機能を有するＭＦＰ（Multifunction Peripheral）であっても構わないし、プリンター、コピー機、ファクシミリ等であっても構わない。その他、各部の構成は図示の実施形態に限定されるものではなく、本願発明の趣旨を逸脱しない範囲で種々変更が可能である。
【符号の説明】
【００７３】
１                画像形成装置
２                装置本体
３                画像読取部
４                給紙装置
４Ａ              第１収容部
４Ｂ              第２収容部
５                転写部
６                定着部
７                排紙トレイ
８                給紙機構
９                操作パネル
４１              筐体
４１Ａ            取っ手部
４１Ｂ            滑車部
４１Ｌ            左側側壁
４１Ｒ            右側側壁
４２              昇降板
４３              規制板
４４              リフト機構
４５              レール
４６              移送板
４７              スライド機構
４８              規制部
４９              カバー体
５０              載置台
８１              繰り出しローラー
８２              給紙ローラー
８３              捌きローラー
Ｐ１              記録紙
Ｐ１１，Ｐ１２    記録紙束
Ｒ１              非積載領域
Ｒ２              誤セット領域
４０１            上限検出センサー
４０２            記録紙検出センサー
４０３            移送板検出センサー
４０４            記録紙検出センサー
４０５            積載量検出センサー
４０６            傾斜検出センサー
４０７            収容方向検出センサー
４０８            収容方向検出部
４２１            左掛止部
４２２            右掛止部
４３１            左ガイド溝
４３２            右ガイド溝
４４１，４４２    ワイヤー
４４３            巻き取りプーリー
４４４，４４５    従動プーリー
４４６            アイドルギヤ
４４７            ダンパー
４４８            継ぎ手
４６１            基端部
４６２            記録紙押動部
４６３            レール係合部
４６４            ベルト連結部
４７１            移送用ベルト
４７２            駆動プーリー
４７３            従動プーリー
４７４            回転用ギヤ
４７５            継ぎ手
６０１            記録紙検知部
６０２            回転軸
６０３            遮光板
６０４            光学式スイッチ
７０１            記録紙検知部
７０２            回転軸
７０３            スイッチ
７０４            遮光板
８０１            記録紙検知部
８０２            連動軸
８０３            押動部
【図１】
2016094272.tif 000003
【図２】
2016094272.tif 000004
【図３】
2016094272.tif 000005
【図４】
2016094272.tif 000006
【図５】
2016094272.tif 000007
【図６】
2016094272.tif 000008
【図７】
2016094272.tif 000009
【図８】
2016094272.tif 000010
【図９】
2016094272.tif 000011
【図１０】
2016094272.tif 000012
【図１１】
2016094272.tif 000013
【図１２】
2016094272.tif 000014
【図１３】
2016094272.tif 000015
【図１４】
2016094272.tif 000016
【図１５】
2016094272.tif 000017
【図１６】
2016094272.tif 000018
【図１７】
2016094272.tif 000019
【図１８】
2016094272.tif 000020